(57)【要約】【課題】シート止用の汎用の条部材に適用することができると共に、当該条部材の連結部及びそれ以外の部分のいずれにも取り付け可能な露受器を提供する。【解決手段】受本体２内の底部であって、前記両端面２ｃ，２ｄから少し内側の位置にはそれぞれ、両端面２ｃ，２ｄより高い２対の柱状の挟持部５，５、５，５が立設してあり、対をなす挟持部５，５、５，５と対応する端面２ｃ，２ｄとの間には間隙が形成されている。対をなす挟持部５，５は受本体２の長辺方向の中心軸に対して対峙するように配してあり、両挟持部５，５の端面２ｃ，２ｄ上縁より少し高い位置であって互いに対向する部分には、該部分を側面視が略コ字形に成型して、シート止バーに外嵌挟持する嵌合部６，６がそれぞれ設けてある。【選択図】図１
2005237288.tif 000002
【特許請求の範囲】
【請求項１】
シートの一部を嵌入させる溝を長手方向へ設けてなり、前記溝の両側にそれぞれ側部が両側部間の底部に対して鋭角に設けてある条部材に取付けられ、前記シートから条部材に伝った露を受ける露受器であって、
排水孔を設けてなる箱状の受本体の底面に、前記条部材を側方から挟持する少なくとも２対の柱状の挟持部が、対をなす挟持部間の中央を通る軸の軸長方向へ距離を隔てて、前記受本体から突出する様態で立設してあり、対をなす挟持部の前記受本体より高い位置であって互いに対向する部分に、前記条部材の底部と側部とがなす角部に着脱可能に外嵌するコ字状の嵌合部がそれぞれ設けてあることを特徴とする露受器。
【請求項２】
前記軸に対して前記対をなす挟持部より外側又は内側に、他の条部材を側方から挟持する少なくとも２対の他の挟持部が、前記軸の軸長方向へ距離を隔てて立設してある請求項１記載の露受器。
【請求項３】
前記嵌合部は、前記条部材の側部に当接する天井壁部及び前記条部材の底部に当接する底壁部の間を可撓性を有する背壁部で連結してなる請求項１又は２記載の露受器。
【請求項４】
前記天井壁部の外面は円弧状にしてある請求項３記載の露受器。
【請求項５】
前記底壁部の先端部は円弧状にしてある請求項３又は４記載の露受器。
【発明の詳細な説明】
【技術分野】
【０００１】
本発明は、複数の条部材間に樹脂製のシートを展設してなる、所謂ビニルハウスの内部に生じた露を受ける露受器に関する。
【背景技術】
【０００２】
複数の条部材を組合せ、各条部材間にビニルシートといった樹脂製のシートを展設してなる、所謂ビニルハウスにあっては、内部で栽培している植物体の生理作用及び散水した土壌からの蒸発等に起因する結露現象により、前記シートの内面に多量の露が生じるが、それがシートからビニルハウスの内部に落下した場合、栽培植物体に病気が発生し易くなり、また栽培植物体の商品価値が低下することもあるため、シートの内面に生じた露を受けて、それを除去することが重要である。
【０００３】
図６は、後記する特許文献１に開示された従来の露受装置の構成を示す分解斜視図であり、図中、１５０，１５０は、ビニルハウスの長手方向へ配設する長尺の露受バー（条部材）である。露受バー１５０には、端面視が縦断三角フラスコ底部形状をなすシート止用溝部１５１が設けてあり、該シート止用溝部１５１内にシートの一部を嵌入させ、その上から図示しないスプリングをシート止用溝部１５１内に嵌合させることによって、シート止用溝部１５１内にシートの一部を固定するようにしてある。このシート止用溝部１５１の一側がわには、倒立角形Ｕ字状のアーチ部１５２を介してＬ字状の露受部１５３が延設してあり、この露受部１５３の底部とシート止用溝部１５１の底部とは同じ深さ位置にしてある。
【０００４】
このような複数の露受バー１５０，１５０  ，…をビニルハウスの長手方向へタンデムに配設するのであるが、相隣る露受バー１５０，１５０は、ジョイント用の露受器１００によって連結してある。この露受器１００は、平面視が長方形状の連結部１１０を備えており、該連結部１１０の一長辺側を除く両端及び他長辺側の周囲には、端部集水用側溝１２０，１２０及び側部集水用側溝１３０がそれぞれ設けてある。そして、両端部集水用側溝１２０，１２０は、側部集水用側溝１３０に連通させてある。
【０００５】
前記連結部１１０の表面には、前述した露受バー１５０のシート止用溝部１５１及び露受部１５３を挿嵌させるべく、連結部１１０の長辺方向へ延設した２本の嵌合溝１１１，１１２が、連結部１１０の短辺方向へ距離を隔てて設けてあり、両嵌合溝１１１，１１２の間には、露受バー１５０のアーチ部１５２が外嵌する一条の陵部１１３になしてある。この陵部１１３の長手方向の略中央の位置にはストッパ１１４が突設してあり、連結部１１０は、その両端から、相隣る露受バー１５０，１５０のシート止用溝部１５１，１５１及び露受部１５３，１５３を各別に嵌合溝１１１，１１２内に嵌合させ、両露受バー１５０，１５０の先端がストッパ１１４に当接するまで挿入させることによって、両露受バー１５０，１５０を連結するようになっている。
【０００６】
連結部１１０の底部の前記ストッパ１１４に臨む部分には一条の集水溝１１５が、連結部１１０の短辺方向の全幅に亘って設けてあり、この集水溝１１５の一端は前述した側部集水用側溝１３０に連通させてある。側部集水用側溝１３０は、その両端部分の深さより中央部分の深さを深くしてあり、側部集水用側溝１３０の外側面中央には、側部集水用側溝１３０の中央底部に連通する管状の排水口１４０が貫通連結させてある。そして、この排水口１４０に排水ホース１４５を連結させるようになっている。
【０００７】
このような露受装置にあっては、複数の露受バー１５０，１５０，…及び露受器１００，１００，…が、各露受器１００，１００，…の排水口１４０，１４０，…が下になるようにビニルハウスに配設されるが、露受バー１５０のシート止用溝部１５１にその一部を嵌入固定したシートの内面に生じた露は、シート内面を伝って露受バー１５０のアーチ部１５２に接触して、シート内面から露受バー１５０の露受部１５３内へ進入し、露受部１５３内を長手方向へ移動して、露受器１００の集水溝１１５及び端部集水用側溝１２０から側部集水用側溝１３０内へ集められる。そして、側部集水用側溝１３０に集められた露は、排水口１４０から排水ホース１４５を通って外部へ排出される。
【０００８】
【特許文献１】特開２００２−８４９００号公報
【発明の開示】
【発明が解決しようとする課題】
【０００９】
しかしながら、このような従来の露受装置にあっては、複数の露受バー１５０，１５０，…及び露受器１００，１００，…を用いなければならず、部品コストが嵩むという問題があった。一方、ビニルハウスに配設した露受バー１５０は、長年の使用によりその中途部で変形することがあるが、その場合、露受バー１５０の変形した個所から露が漏出してしまう。しかし、従来の露受器１００にあっては、相隣る露受バー１５０，１５０の連結個所にしか配設することができず、それ以外の個所には配設することができないため、前述した中途部からの漏出を防止することができなかった。
【００１０】
ところで、ビニルハウスにあっては、シートを固定するための条部材として、例えば、前述した露受バー１５０から露受部１５３及びアーチ部１５２を除去してシート止用溝部１５１のみとした形状のシート止バーが広く使用されているが、かかるシート止バーにも、シート内面を伝って露が集まるため、シート止バーに集まった露を受けて除去する必要があった。
【００１１】
従って、シートを止めるための汎用の条部材を利用し、そこに集まった露を受けて除去することができれば、図６に示した露受装置を用いることなく、シート内面に生じた露を排除することができるため、前述した問題を解決することができる。
【００１２】
本発明は、かかる事情に鑑みてなされたものであって、シート止用の汎用の条部材に適用することができると共に、当該条部材の連結部及びそれ以外の部分のいずれにも取り付け可能な露受器を提供する。
【課題を解決するための手段】
【００１３】
請求項１記載の本発明は、シートの一部を嵌入させる溝を長手方向へ設けてなり、前記溝の両側にそれぞれ側部が両側部間の底部に対して鋭角に設けてある条部材に取付けられ、前記シートから条部材に伝った露を受ける露受器であって、排水孔を設けてなる箱状の受本体の底面に、前記条部材を側方から挟持する少なくとも２対の柱状の挟持部が、対をなす挟持部間の中央を通る軸の軸長方向へ距離を隔てて、前記受本体から突出する様態で立設してあり、対をなす挟持部の前記受本体より高い位置であって互いに対向する部分に、前記条部材の底部と側部とがなす角部に着脱可能に外嵌するコ字状の嵌合部がそれぞれ設けてあることを特徴とする。
【００１４】
請求項２記載の本発明は、前記軸に対して前記対をなす挟持部より外側又は内側に、他の条部材を側方から挟持する少なくとも２対の他の挟持部が、前記軸の軸長方向へ距離を隔てて立設してあることを特徴とする。
【００１５】
請求項３記載の本発明は、前記嵌合部は、前記条部材の側部に当接する天井壁部及び前記条部材の底部に当接する底壁部の間を可撓性を有する背壁部で連結してなることを特徴とする。
【００１６】
請求項４記載の本発明は、前記天井壁部の外面は円弧状にしてあることを特徴とする。
【００１７】
請求項５記載の本発明は、前記底壁部の先端部は円弧状にしてあることを特徴とする。
【発明の効果】
【００１８】
請求項１記載の本発明では、シートの一部を嵌入させる溝を長手方向へ設けてなり、前記溝の両側にそれぞれ側部が両側部間の底部に対して鋭角に設けてある条部材に取付けられ、前記シートから条部材に伝った露を受ける露受器であって、排水孔を設けてなる箱状の受本体の底面に、前記条部材を側方から挟持する少なくとも２対の柱状の挟持部が、対をなす挟持部間の中央を通る軸の軸長方向へ距離を隔てて、前記受本体から突出する様態で立設してあり、対をなす挟持部の前記受本体より高い位置であって互いに対向する部分に、前記条部材の底部と側部とがなす角部に着脱可能に外嵌するコ字状の嵌合部がそれぞれ設けてあるため、シート止用の汎用の条部材に適用することができると共に、当該条部材の連結部及びそれ以外の部分のいずれにも取り付けることができる。
【００１９】
一方、条部材に一部を嵌入固定したシートを伝って、当該条部材の側部に集まった露は、条部材の長手方向へ移動して露受器の嵌合部に接触し、該嵌合部及び挟持部を伝って、受本体内に進入し、受本体に設けた排水孔から外へ排出される。この排水孔に予め排水パイプを連結し、該排水パイプをビニルハウスの外へ延設しておくことによって、露をビニルハウスの外へ排除することができる。
【００２０】
請求項２記載の本発明では、前記軸に対して前記対をなす挟持部より外側又は内側に、他の条部材を側方から挟持する少なくとも２対の他の挟持部が、前記軸の軸長方向へ距離を隔てて立設してあるため、一つの露受器で、幅サイズが異なる２種類の条部材に取り付けることができ、製造コストを低減することができる。
【００２１】
請求項３記載の本発明では、前記嵌合部は、前記条部材の側部に当接する天井壁部及び前記条部材の底部に当接する底壁部の間を可撓性を有する背壁部で連結してなるため、背壁部が外側に撓むことによって対向する挟持部の間の寸法が拡大して、条部材を両挟持部の間に容易に挿入させることができ、露受器を条部材に容易に取り付けることができる。
【００２２】
請求項４記載の本発明では、前記天井壁部の外面は円弧状にしてあるため、条部材を両挟持部の間に挿入させる場合、背壁部が外側に撓むと共に、天井壁部の外面が条部材の表面上を摺接するので、露受器の条部材への取り付け作業を円滑に行うことができる。
【００２３】
請求項５記載の本発明では、前記底壁部の先端部は円弧状にしてあるため、条部材を両挟持部の間に挿入させる場合、底壁部の先端部が条部材の角部表面上を摺接するので、露受器の条部材への取り付け作業を更に円滑に行うことができる。
【発明を実施するための最良の形態】
【００２４】
本発明に係る露受器にあっては、シートの一部を嵌入させる溝を長手方向へ設けてなり、前記溝の両側にそれぞれ側部が両側部間の底部に対して鋭角に設けてある条部材に取付けられ、前記シートから条部材に伝った露を受けるようにしてあるが、この露受器は、排水孔を設けてなる箱状の受本体の底面に、前記条部材を側方から挟持する少なくとも２対の柱状の挟持部が、対をなす挟持部間の中央を通る軸の軸長方向へ距離を隔てて、前記受本体から突出する様態で立設してある。そして、対をなす挟持部の前記受本体より高い位置であって互いに対向する部分に、前記条部材の底部と側部とがなす角部に着脱可能に外嵌するコ字状の嵌合部がそれぞれ設けてある。
【００２５】
かかる露受器は、対をなす挟持部の間に条部材を挿入させ、両挟持部に設けてある嵌合部を条部材の対応する角部に外嵌させることによって、条部材の連結部及び連結部以外の任意の部分にワンタッチで取り付けることができる。この場合、挟持部の適宜部分に可撓性を付与しておくとよい。
【００２６】
条部材に一部を嵌入固定したシートを伝って、当該条部材の側部に集まった露は、条部材の長手方向へ移動して露受器の嵌合部に接触し、該嵌合部及び挟持部を伝って、受本体内に進入し、受本体に設けた排水孔から外へ排出される。この排水孔に予め排水パイプを連結しておき、該排水パイプをビニルハウスの外へ延設しておくことによって、露をビニルハウスの外へ排除することができる。
【００２７】
更に、前述した軸に対して前記対をなす挟持部より外側又は内側に、他の条部材を側方から挟持する少なくとも２対の他の挟持部を、前記軸の軸長方向へ距離を隔てて立設しておく。これによって、一つの露受器で、幅サイズが異なる２種類の条部材に取り付けることができ、製造コストを低減することができる。
【００２８】
ところで嵌合部は、条部材の側部に当接する天井壁部及び条部材の底部に当接する底壁部の間を可撓性を有する背壁部で連結して構成する。これによって、挟持部の構造強度を高く維持しつつ、露受器を条部材にワンタッチで取り付けることができる。
【００２９】
また、前記天井壁部の外面は円弧状にしておく。更に、前記底壁部の先端部は円弧状にしておく。これによって、露受器を条部材に取り付ける取付け作業を円滑に行うことができる。
【００３０】
以下、本発明の一実施例を図面に基づいて詳述する。
【実施例１】
【００３１】
図１は、本発明に係る露受器の平面側からの斜視図であり、図２は、図１に示した露受器の底面側からの斜視図である。図１及び図２に示した如く、露受器１は、樹脂を長方形バット状に成型してなる受本体２を備えており、該受本体２の長辺と平行をなす一側面２ａの中央部を除き、受本体２の他側面２ｂの上縁及び受本体２の短辺と平行をなす両端面２ｃ，２ｄの上縁にはリムが設けてある。この受本体２内の底部であって、長手方向の中央の位置には、半円筒形の集水凹部３が受本体２内の底面から突出する様態で、受本体２の短辺と平行にその全幅に亘って設けてあり、集水凹部３の一端は、受本体２の他側面２ｂと面一になるように閉塞してある。一方、前記集水凹部３の他端は開口にしてある。
【００３２】
受本体２の一側面２ａであって前記集水凹部３の他端開口に望む部分には、半円形の開口が開設してあり、両開口によって全体として円形に形成された口の周囲に排水筒部４が連結してある。そして、この排水筒部４に図示しない排水ホースを連結するようにしてある。なお、集水凹部３の形状及び排水筒部４の形状はこれに限らず、適宜の形状でよい。また、本実施例では、受本体２の底部を取り囲むように、一側面２ａ、他側面２ｂ、両端面２ｃ，２ｄを設けた受本体１を示してあるが、本発明はこれに限らず、排水筒部４を連結した一側面２ａに対向する他側面２ｂが設けていない（開放した）受本体も適用し得る。
【００３３】
受本体２内の底部であって、前記両端面２ｃ，２ｄから少し内側の位置にはそれぞれ、両端面２ｃ，２ｄより高い２対の柱状の挟持部５，５、５，５が立設してあり、対をなす挟持部５，５、５，５と対応する端面２ｃ，２ｄとの間には間隙が形成されている。対をなす挟持部５，５は受本体２の長辺方向の中心軸に対して対峙するように配してあり、両挟持部５，５の端面２ｃ，２ｄ上縁より少し高い位置であって互いに対向する部分には、該部分を側面視が略コ字形に成型して、後述するシート止バー（条部材）に外嵌挟持する嵌合部６，６がそれぞれ設けてある。
【００３４】
図３は、前述した挟持部５の部分拡大側断面図である。なお、図中、図１に示した部分に対応する部分には同じ番号を付してある。図３に示した如く、挟持部５に設けた略コ字形の嵌合部６は、その厚さを比較的薄くすることによって可撓性を付与した背壁部６ｂと、該背壁部６ｂより厚い底壁部６ｃと、底壁部６ｃより厚い天井壁部６ａとを具備しており、底壁部６ｃの先端は円弧状にしてある。また、天井壁部６ａの嵌合部６の奥行き方向の寸法は、底壁部６ｃの対応する寸法より少し短くしてあり、該天井壁部６ａの外側部分は略円弧状にしてある。一方、天井壁部６ａの底壁部６ｃに対向する内側部分については、背壁部６ｂに当接する位置より所定寸法だけの領域は、底壁部６ｃと平行にしてあり、その領域以外の領域は、奥行き方向の奥側から手前側になるに従って底壁部６ｃとの間の寸法が長くなるテーパ部６ｄになしてある。なお、このテーパ部６ｄの傾斜角度は、後述するシート止バーに応じて定めてある。
【００３５】
図４は、本発明に係る露受器の使用状態を説明する説明図であり、図中、１は露受器、３０はシート止バーである。シート止バー（条部材）３０は、端面視が縦断三角フラスコ底部形状をなすシート止用溝部３１を備えており、また、シート止バー３０の一端に、プレスにより他の部分の外寸より一回り小さい外寸にするスエジ加工を施してスエジ部３２が設けてある。そして、複数本（図４では２本）のシート止バー３０，３０を同じ向きにタンデムに配置すると共に、一方のシート止バー３０のスエジ部３２を他方のシート止バー３０の他端に嵌入させることによって、両シート止バー３０，３０を連結させてある。なお、ビニルハウスにおいて、露の落下が問題となる部分にあっては、シート止バー３０，３０はそれぞれ、その一外側面を斜め上方に向けた姿勢で配設してある。
【００３６】
このようにして連結したシート止バー３０，３０のシート止用溝部３１，３１内に、シートＳの一部を嵌入させ、その上から、例えば平面視が台形状の凹凸を長手方向へ交互に設けてなるスプリング４０を嵌合させることによって、シート止用溝部３１，３１内にシートＳの一部を固定する様態で、シートＳが張設してある。
【００３７】
そして、図４に示した場合にあっては、シート止バー３０，３０の連結部分を露受器１の受本体２に内包するように、露受器１に設けた２対の嵌合部６，６、６，６をシート止バー３０，３０に外嵌挟持させることによって、露受器１がシート止バー３０，３０に取付けてある。
【００３８】
ここで、露受器１の対をなす嵌合部６，６をシート止バー３０に外嵌させるには、受本体２の底面がシート止バー３０のシート止用溝部３１の底面に対して斜めに向けた姿勢で、一方の嵌合部６の天井壁部６ａをシート止バー３０の一外側面に、他方の嵌合部６の天井壁部６ａをシート止バー３０の他外側面がわの角部にそれぞれ当接させる。このとき、シート止バー３０の角部が嵌合部６の底壁部６ｃに当接するが、底壁部６ｃの先端が円弧状に成型してあるため、受本体２の姿勢を回動させることによって、前記角部は底壁部６ｃの先端表面を摺動して、嵌合部６内に容易に進入する。この状態で、受本体２にシート止バー３０側へ向かう力を付与すると、一方の嵌合部６の背壁部６ｂが外側へ撓んで、対向する嵌合部６，６間の寸法が拡がりつつ、一方の嵌合部６内にシート止バー３０の一外側面がわの角部が内嵌すると共に、他方の嵌合部６の天井壁部６ａがシート止バー３０の他外側面がわの角部表面上を摺動して、他方の嵌合部６内にシート止バー３０の他外側面がわの角部が内嵌し、対向する嵌合部６，６間の寸法が復帰する。このようにして、露受器１の２対の嵌合部６，６、６，６をワンタッチでシート止バー３０に外嵌挟持させることができる。
【００３９】
なお、図４に示した取付け例では、シート止バー３０，３０の連結部分に露受器１を取付ける場合について示したが、本発明はこれに限らず、露受器１は、シート止バー３０，３０の連結部分以外の任意の部分に取り付けることができる。また、シート止バー３０，３０はスエジ部３２によって連結するようにした場合について示したが、本発明はこれに限らず、露受器１は、スエジ加工を施していない２本のシート止バーを図示しない外ジョイント部材を用いて連結した連結部分にも取付けることができる。この場合、露受器１を両シート止バーに外ジョイント部材が外嵌してある部分を跨ぐようにその外側に取付ける。
【００４０】
図４に示した如く、前述したシート止バー３０，３０の一外側面には、シートＳの内面に生じた露が集まるが、かかる露はシート止バー３０，３０の一外側面上をその長手方向へ移動し、露受器１の前記一外側面に当接した天井壁部６ａ，６ａに接触し、嵌合部６，６及び挟持部５，５を伝って、受本体２内に流入する。このようにして受本体２内に集められた露は、集水凹部３及び排水筒部４を介して、又は受本体２の一側面２ａ及び排水筒部４を介して、排水筒部４に連結した排水ホースによって、外部へ排出される。
【実施例２】
【００４１】
図５は、実施例２に係る露受器の使用様態を示す側面図であり、図４に示したシート止バー３０及びそれとは幅寸法が異なる他のシート止バー３０ａの両方に適用し得るようにしてある。なお、図中、図１に対応する部分には同じ番号を付してある。図５に示した如く、他のシート止バー３０ａは、図４に示したシート止バー３０の両側に、Ｌ字状の側部３３ａ，３３ａを延設した形状をしている。受本体２には、前述した２対の挟持部５，５（５，５）が立設してあり、これら２対の挟持部５，５（５，５）の間の中央を通る軸に対して挟持部５，５（５，５）より外側の位置に、前述した側部３３ａ，３３ａの起立した側縁部３４ａ，３４ａを挟持する２対（図５では、その内の一方を示している。）の他の挟持部１５，１５（１５，１５）が立設してある。
【００４２】
対をなす他の挟持部１５，１５にも、前同様、嵌合部１６，１６がそれぞれ設けてあり、嵌合部１６，１６は、前同様、側縁部３４ａ，３４ａの上端に当接する天井壁部１６ａ，１６ａ、側縁部３４ａ，３４ａの底部に当接する底壁部１６ｃ，１６ｃ、及び天井壁部１６ａ，１６ａと底壁部１６ｃ，１６ｃとの間を連結し、可撓性を有する背壁部１６ｂ，１６ｂから構成されている。
【００４３】
このような露受器１０にあっては、一つの露受器１０で、幅サイズが異なる２種類のシート止バー３０ａ（３０（図４参照））に取り付けることができ、露受器１０の製造コストを低減することができる。
【図面の簡単な説明】
【００４４】
【図１】本発明に係る露受器の平面側からの斜視図である。
【図２】図１に示した露受器の底面側からの斜視図である。
【図３】挟持部の部分拡大側断面図である。
【図４】本発明に係る露受器の使用状態を説明する説明図である。
【図５】実施例２に係る露受器の使用様態を示す側面図である。
【図６】従来の露受装置の構成を示す分解斜視図である。
【符号の説明】
【００４５】
１      露受器
２      受本体
２ａ    一側面
２ｂ    他側面
２ｃ    端面
２ｄ    端面
３      集水用凹部
４      排水筒部
５      挟持部
６      嵌合部
６ａ    天井壁部
６ｂ    背壁部
６ｃ    底壁部
６ｄ    テーパ部
【図１】
2005237288.tif 000003
【図２】
2005237288.tif 000004
【図３】
2005237288.tif 000005
【図４】
2005237288.tif 000006
【図５】
2005237288.tif 000007
【図６】
2005237288.tif 000008